(57)【特許請求の範囲】
【請求項１】
印刷が施された所定幅の連続用紙を搬送しながら、見開きが可能で紙片部分の付いた印刷物を製造する方法であって、次の工程を順次行うことを特徴とする紙片付き印刷物の製造方法。
（１）連続用紙の一側端に沿った部分を帯状部として分断し、その帯状部を残った連続用紙の一側端部に重ねて接着糊で貼り合わせることにより、紙片部分を区画するための二重領域を形成する重ね合わせ工程。
（２）連続用紙において搬送方向に沿って仮想的に二分した２つの連続体のうちのいずれかの面に対し、最終的に印刷物の長辺側となる２つの横ライン領域と、最終的に印刷物の短辺側となる２つの縦ライン領域と、最終的に紙片部分の中に位置する仮止め領域とに剥離糊を塗布する糊塗布工程。
（３）仮想的に二分した２つの連続体を連続用紙の搬送方向に沿って折り曲げ、糊塗布工程で塗布したすべての剥離糊により両者を貼り合わせる折曲げ貼着工程。
（４）搬送方向に二つ折りされて貼り合わされた連続用紙における二重領域に紙片部分を区画するハーフカットを形成する抜き加工工程。
（５）搬送方向に二つ折りされて貼り合わされた連続用紙における両サイドを仕上げのために切断するサイド切断工程。
（６）搬送方向に二つ折りされて貼り合わされ、両サイドを切断された状態の連続用紙を横方向に順次切断して天地の仕上げられた個々の印刷物とする天地切断工程。
【請求項２】
請求項１に記載の紙片付き印刷物の製造方法において、（１）の重ね合わせ工程に代え、連続用紙の一側端部を帯状部として折り返して貼り合わせることにより、紙片部分を区画するための二重領域を形成する重ね合わせ工程を行うようにしたことを特徴とする紙片付き印刷物の製造方法。
【発明の詳細な説明】
【技術分野】
【０００１】
本発明は、葉書、チケット、クーポン券などの紙片が切離し可能に一体化してなる印刷物の技術分野に属し、例えば、周囲に切込みのある葉書部分を備えたチラシなどの紙片付き印刷物の製造方法に関するものである。
【背景技術】
【０００２】
従来より、広告の一手段として、全国紙等の新聞に折込みチラシを挟んで配達することが行われている。そして、例えば広告を見てすぐに応募したり資料請求が行えるようにとの観点から、切取り可能な葉書部分を一部に備えた印刷物が利用されており、それらの中でも、広告量の多い見開き状態とすることができるタイプであって、かつ葉書の付いたタイプの印刷物が知られている（例えば、特許文献１〜３等参照）。
【先行技術文献】
【特許文献】
【０００３】
【特許文献１】実用新案登録第３０９６９１０号公報
【特許文献２】特開２００５−２３８５０３号公報
【特許文献３】特開２００６−６２１３１号公報
【発明の概要】
【発明が解決しようとする課題】
【０００４】
上記のような見開きが可能な紙片付き印刷物は、所定幅の連続用紙を搬送しながら、その搬送途中において接着糊や剥離糊の糊塗布工程、各種折り工程等を連続して行うというラインで製造されており、このうち糊塗布工程は、搬送方向に配置された糊付けローラにより行われている。したがって、例えば接着糊で貼着した境界部分の両側を見開くような印刷物は、長方形の短辺側が糊付けされ、その両側で見開くようになったいわゆる横型の印刷物になる。ところが一方では、通常の本や書類のように、縦長のものを左右に開く方が見やすいという視認性の観点から、長方形の長辺側を境にその両側で見開くようになった縦型の紙片付き印刷物に対する要望がある。
【０００５】
本発明は、上記のような背景や要望に鑑みてなされたものであり、その目的とするところは、見開くことができる紙片付き印刷物であって、横型に比べて視認性のよい縦型の紙片付き印刷物を得るための製造方法を提供することにある。
【課題を解決するための手段】
【０００６】
本発明に係る紙片付き印刷物の製造方法は、印刷が施された所定幅の連続用紙を搬送しながら、見開きが可能で紙片部分の付いた印刷物を製造する方法であって、次の工程を順次行うことを特徴とする。
（１）連続用紙の一側端に沿った部分を帯状部として分断し、その帯状部を残った連続用紙の一側端部に重ねて接着糊で貼り合わせることにより、紙片部分を区画するための二重領域を形成する重ね合わせ工程。
（２）連続用紙において搬送方向に沿って仮想的に二分した２つの連続体のうちのいずれかの面に対し、最終的に印刷物の長辺側となる２つの横ライン領域と、最終的に印刷物の短辺側となる２つの縦ライン領域と、最終的に紙片部分の中に位置する仮止め領域とに剥離糊を塗布する糊塗布工程。
（３）仮想的に二分した２つの連続体を連続用紙の搬送方向に沿って折り曲げ、糊塗布工程で塗布したすべての剥離糊により両者を貼り合わせる折曲げ貼着工程。
（４）搬送方向に二つ折りされて貼り合わされた連続用紙における二重領域に紙片部分を区画するハーフカットを形成する抜き加工工程。
（５）搬送方向に二つ折りされて貼り合わされた連続用紙における両サイドを仕上げのために切断するサイド切断工程。
（６）搬送方向に二つ折りされて貼り合わされ、両サイドを切断された状態の連続用紙を横方向に順次切断して天地の仕上げられた個々の印刷物とする天地切断工程。
【０００７】
また、上記の紙片付き印刷物の製造方法において、（１）の重ね合わせ工程に代え、連続用紙の一側端部を帯状部として折り返して貼り合わせることにより、紙片部分を区画するための二重領域を形成する重ね合わせ工程を行うようにしてもよいものである。
【発明の効果】
【０００８】
本発明の製造方法によれば、印刷された所定幅の連続用紙を搬送しながら、紙片部分を区画するための二重領域を形成し、連続用紙において搬送方向に沿って仮想的に二分した２つの連続体のうちのいずれかの面に対し、最終的に印刷物の長辺側となる２つの横ライン領域と、最終的に印刷物の短辺側となる２つの縦ライン領域と、最終的に紙片部分の中に位置する仮止め領域とに剥離糊を塗布する糊塗布工程を行い、仮想的に二分した２つの連続体を連続用紙の搬送方向に沿って折り曲げ、糊塗布工程で塗布した剥離糊により両者を貼り合わせる折曲げ貼着工程を行い、搬送方向に二つ折りされて貼り合わされた連続用紙における二重領域に紙片部分を区画するハーフカットを形成する抜き加工工程を行うようにしたので、これらの工程を行うことによって、長辺側の１辺と短辺側の２辺にある剥離糊を剥がし、残りの長辺側の１辺の剥離糊の部分を境としてその両側を見開くことができ、しかも見開いてから紙片部分を剥がして使用できる印刷物が得られることから、横型に比べて視認性のよい縦型の紙片付き印刷物を製造することができる。
【図面の簡単な説明】
【０００９】
【図１】本発明に係る紙片付き印刷物の製造方法に使用する連続用紙の一例を示す平面図である。
【図２】図１の連続用紙に重ね合わせ工程を行った状態を示す平面図である。
【図３】図２の連続用紙に糊塗布工程を行った後の状態を示す平面図である。
【図４】図３の連続用紙に折曲げ貼着工程を行った後の状態を示す平面図である。
【図５】図４の連続用紙に抜き加工工程を行った後の状態を示す平面図である。
【図６】図５の連続用紙にサイド切断工程を行った後の状態を示す平面図である。
【図７】図６の連続用紙に天地切断工程を行って得られた紙片付き印刷物の表裏を示す平面図である。
【発明を実施するための形態】
【００１０】
次に、本発明の実施形態について図面を参照しながら詳細に説明する。ここでは、紙片付き印刷物として、新聞の折込み広告に用いられる葉書付きチラシを製造する場合を例に挙げて説明する。
【００１１】
図１は葉書付きチラシの製造に使用する連続用紙Ａを搬送方向に４区画分だけ図示したものである。すなわち、図示した４区画の一つずつがそれぞれ一つの葉書付きチラシに対応している。
【００１２】
この連続用紙Ａは既に所定の印刷が施された状態のもので、図の矢印で示す方向に搬送されながらインラインで各種の加工が施され、最終的に見開きが可能で葉書部分の付いたチラシが製造される。この図１に描かれた各種の線ａ〜ｇは、連続用紙Ａに対して順次行われる工程を説明する際に使用するものであり、以下に葉書付きチラシの製造方法の工程について順を追って説明する。
【００１３】
まず、連続用紙Ａをスリッターに通し、図１の切断線ａ，ｂで示すところを切断することで、連続用紙Ａの一側端に沿った部分を帯状部１として分断し、その帯状部１を残った連続用紙Ａの一側端部に重ねて貼り合わせることにより、図２に示すように、葉書部分を区画するための二重領域２を形成する。
【００１４】
この二重領域２は、葉書としての厚みを確保するためのものであるが、上記のような重ね合わせ工程に代え、連続用紙Ａの一側端部を帯状部として折り返して貼り合わせる工程により形成するようにしてもよい。
【００１５】
このようにして連続用紙Ａに二重領域２を形成した後、連続用紙Ａを２台の糊コーターに連続して通して糊塗布工程を行う。具体的には、図２に示す連続用紙Ａを搬送方向の中心線ｃに沿って仮想的に２つの連続体に二分し、図３に示すように、二重領域２がある方の連続体に対し、最終的に印刷物の長辺側となる１つの横ライン領域３にスポンジ版でパターン状に剥離糊を塗布するとともに、最終的に印刷物のもう一方の長辺側となる１つの横ライン領域４と、最終的に印刷物の短辺側となる２つの縦ライン領域５，６と、最終的に葉書部分７となる区画の中の上下２箇所の仮止め領域８とに樹脂版でパターン状に剥離糊を塗布する。これにより、横ライン領域３には剥がしにくいように多めに剥離糊が塗布され、横ライン領域４と２つの縦ライン領域５，６と葉書部分７の仮止め領域８には剥がしやすいように少なめに剥離糊が塗布される。このとき、図示のように、右下コーナー部に剥離糊の未塗布部分を設けておくことで、見開き時の取っ掛かりを形成する。
【００１６】
なお、ここでは、連続用紙Ａにおいて搬送方向に沿って仮想的に二分した２つの連続体のうち、二重領域２のある方の連続体に対して糊塗布を行ったが、二重領域２がない方の連続体に糊塗布を行うようにしても構わない。
【００１７】
このように糊塗布工程を終えた後、その連続用紙Ａを搬送しながら折り装置に通すことで、仮想的に二分した２つの連続体を連続用紙Ａの搬送方向に沿って中心線ｃのところで折り曲げ、先に塗布した剥離糊により、図４に示すように両者を貼り合わせる。この折曲げ貼着工程を経ることにより、図３に示した連続用紙Ａの幅が半分となる。
【００１８】
次いで、図４に示す連続用紙Ａをダイカッターに通して抜き加工工程を行い、図５に示すように、搬送方向に二つ折りされて貼り合わされた連続用紙Ａにおける二重領域２に葉書部分７を区画するハーフカットαを形成する。このとき、必要に応じて、横ライン領域３に隣接してミシン目線βを形成する。このミシン目線βを設けておくと、最終的な印刷物において見開きが容易になるとともに、見開いたページを簡単に破ることもできる。なお、このようなミシン目線βは、抜き加工工程の前にパーフォレーターを用いて形成するようにしても構わない。
【００１９】
続いて、図５に示す連続用紙Ａをサイドトリムに通し、図５の破断線ｄ，ｅのところで断裁することにより、図６に示すように、搬送方向に二つ折りされて貼り合わされた連続用紙Ａにおける両サイドを仕上げのために切断する。
【００２０】
このサイド切断工程を行った図６に示す連続用紙Ａをロータリーカッターに通して天地切断工程を行う。すなわち、搬送方向に二つ折りされて貼り合わされ、両サイドを切断された図６に示す状態の連続用紙Ａを横方向の破断線ｆ，ｇのところで順次切断して天地を仕上げる。これにより最終的に図７に示す葉書付きチラシＢが得られる。
【００２１】
この葉書付きチラシＢは、図７（ａ）の左下コーナー部に剥離糊の未塗布部分があるので、この部分を取っ掛かりとして開くことができる。すなわち、取っ掛かりからめくって長辺側の１辺と短辺側の２辺にある剥離糊を剥がし、残りの長辺側の１辺の貼着部分を境としてその両側を見開くことができる。このとき、残りの長辺側の１辺は剥離糊の量が多くて剥がれにくくなっているので、見開いても両方のページが外れることがない。また、残りの長辺側の１辺にはミシン目線βがあるので、印刷物Ｂは見開きやすくなっており、必要に応じてこのミシン目線βのところで破断することもできる。
【００２２】
そして、表側の用紙を剥がして見開いた状態では、裏側の用紙の方に葉書部分７が仮止め領域８にて剥離糊で貼着された状態で残るので、この葉書部分７を剥がして応募用や注文用の葉書として利用することができる。
【００２３】
以上、本発明を実施するための形態について詳細に説明してきたが、本発明による紙片付き印刷物の製造方法は、上記の実施形態に何ら限定されるものではなく、本発明の趣旨を逸脱しない範囲において種々の変更が可能であることは当然のことである。
【００２４】
例えば、上記の例では、二重領域２を形成する帯状部１は、最終的に印刷物Ｂの内面側に位置するようになっているが、外面側に位置させることも勿論可能である。いずれにするかは、デザイン、見栄え等に応じて適宜選択すればよいものである。
【産業上の利用可能性】
【００２５】
本発明の紙片付き印刷物の製造方法は、上記した実施形態のような葉書付きチラシを製造する場合のほかに、チケット、クーポン券などの紙片を分離して使用するような印刷物にも適用が可能である。
【符号の説明】
【００２６】
Ａ  連続用紙
Ｂ  葉書付きチラシ（紙片付き印刷物）
１  帯状部
２  二重領域
３，４  横ライン領域
５，６  縦ライン領域
７  葉書部分
８  仮止め領域
ａ，ｂ  切断線
ｃ  中心線
ｄ〜ｇ  破断線
α  ハーフカット
β  ミシン目線
【要約】
【課題】見開くことができる紙片付き印刷物であって、横型に比べて視認性のよい縦型の紙片付き印刷物を得ること。
【解決手段】連続用紙Ａを搬送しながら、紙片部分を区画するための二重領域２を形成し、搬送方向に沿って仮想的に二分した２つの連続体のうちのいずれかに面に対し、最終的に印刷物の長辺側となる２つの横ライン領域３，４と、最終的に印刷物の短辺側となる２つの縦ライン領域５，６と、最終的に紙片部分の中に位置する仮止め領域７とに剥離糊を塗布し、２つの連続体を搬送方向に沿って折り曲げて貼り合わせ、二重領域に紙片部分を区画するハーフカットを形成する。長辺側の１辺と短辺側の２辺にある剥離糊を剥がし、残りの長辺側の１辺の剥離糊の部分を境としてその両側を見開くことができ、しかも見開いてから紙片部分を剥がして使用できる印刷物が得られる。
【選択図】図３【図１】
0004836020.tif 000002
【図２】
0004836020.tif 000003
【図３】
0004836020.tif 000004
【図４】
0004836020.tif 000005
【図５】
0004836020.tif 000006
【図６】
0004836020.tif 000007
【図７】
0004836020.tif 000008